(57)【特許請求の範囲】
【請求項１】
雄部材Ａと、この雄部材Ａが差込係合される雌部材Ｂとを備え、
前記雄部材Ａは、基部１０と、この基部１０から突出形成された一対の脚部２０と、この各脚部２０の先端部に設けられ前記雌部材Ｂに係合可能な係合部３０とを備え、
前記雌部材Ｂは、表裏面を構成する表壁４０Ａおよび裏壁４０Ｂと、この表壁４０Ａおよび裏壁４０Ｂを連結する一対の側壁４０Ｃを有する雌部材本体４０と、この雌部材本体４０の一端に設けられ前記雄部材Ａの一対の脚部２０が差し込まれる差込口４１と、前記雌部材本体４０の前記表壁４０Ａおよび裏壁４０Ｂの内面に形成され前記差込口４１から前記雌部材本体４０の奥部に向かうに従って幅が次第に狭くなるテーパ状のガイド溝５０Ａを有し、前記係合部３０と係合しながら前記差込口４１から差し込まれた前記一対の脚部２０の先端部を互いに接近する方向へ弾性変形させるガイド部５０と、前記ガイド溝５０Ａの前記奥部において前記ガイド溝５０Ａに連続して前記表壁４０Ａおよび裏壁４０Ｂに設けられ前記雄部材Ａの係合部３０が所定位置まで差し込まれた際、前記一対の脚部２０の係合部３０を互いに離間する方向へ変位させ、前記各係合部３０と係合する一対の被係合部６０とを備え、
前記各被係合部６０は、前記脚部２０の離間方向に対向して配置され、前記各係合部３０と当接する当接壁６１Ｄを有し、
前記各当接壁６１Ｄは、前記雄部材Ａの反差込方向へ向かうに従って互いに接近する方向へ延びる壁面に形成され、
前記係合部３０は、前記一対の脚部２０の先端表裏面に突出して形成された突起３１によって形成され、
前記突起３１は、前記脚部２０の内側面側に内側壁３１Ａを有し、前記脚部２０の先端側に前側壁３１Ｂを有し、前記脚部２０の外側面側に前外側壁３１Ｃおよび後外側壁３１Ｄを有し、
前記前外側壁３１Ｃは、前記前側壁３１Ｂから前記雄部材Ａの反差込方向へ向かうに従って前記内側壁３１Ａから次第に離れる傾斜面に形成され、
前記後外側壁３１Ｄは、前記前外側壁３１Ｃから前記雄部材Ａの反差込方向へ向かうに従って前記内側壁３１Ａに接近する傾斜面であり、かつ前記各当接壁６１Ｄの壁面と略一致する壁面に形成されている、ことを特徴とするバックル。
【請求項２】
前記各被係合部６０は、前記当接壁６１Ｄの差込口４１側端に連続して形成され前記雄部材Ａの差込方向に対して略直交する被係止壁６１Ｅを有し、
前記各係合部３０は、前記後外側壁３１Ｄの前記基部１０側端に連続して形成され前記雄部材Ａの差込方向に対して略直交しかつ前記被係止壁６１Ｅに係止される係止壁３１Ｅを有する、ことを特徴とする請求項１に記載のバックル。
【請求項３】
前記雄部材Ａの前記基部１０には、前記脚部２０が突出形成された側の両側部よりも中央部が前記脚部２０の突出方向へ向かって突出する突合部１４が設けられ、
前記雌部材Ｂには、前記差込口４１側に前記雄部材Ａの突合部１４と密着する突合部４２が設けられている、ことを特徴とする請求項１または請求項２に記載のバックル。
【請求項４】
前記一対の脚部２０は、前記基部１０へ接近する方向へ凸状に湾曲した連結帯２３によって連結されている、ことを特徴とする請求項１〜請求項３のいずれか一項に記載のバックル。
【発明の詳細な説明】
【技術分野】
【０００１】
本発明は、雄部材と雌部材とを備えたバックルに関する。詳しくは、１本の紐状部材の両端、あるいは、２本の紐状部材同士を連結、分離するために用いられるバックルに関する。
【背景技術】
【０００２】
１本の紐状部材の両端、あるいは、２本の紐状部材同士を連結、分離する手段として、特許文献１に開示されたバックルが知られている。
このバックルは、互いに連結される部材の一方に取り付けられる差込体と、他方に取り付けられるバックル本体とを備える。差込体は、バックル本体に差し込まれる一対の脚部と、この一対の脚部の先端に設けられた係合部とを有する。バックル本体には、脚部が挿入される収容部と、脚部の係合部が係合する被係合部とが設けられている。
【０００３】
差込体の係合部とバックル本体の被係合部とは、同じ傾斜面を有する係合面で係合される。
つまり、図１２（Ａ）（Ｂ）に示すように、差込体１１０の係合部１１１には、差込体１１０の差込方向後端面に外側から内側へ向かうに従って差込方向へ傾斜した係合面１１２が形成されている。バックル本体１２０の被係合部１２１には、差込体１１０の差込方向先端面に外側から内側へ向かうに従って差込方向へ傾斜した被係合面１２２が形成されている。
【０００４】
従って、差込体１１０をバックル本体１２０に差し込むと、脚部１１３の係合部１１１が被係合部１２１に当接し、脚部１１３が内側に弾性変形される（図１２（Ａ）の状態参照）。さらに、差込体１１０をバックル本体１２０に差し込み、係合部１１１が被係合部１２１を越えると、脚部１１３が外側へ弾性復帰され、係合面１１２と被係合面１２２とが係合される（図１２（Ｂ）の状態参照）。これにより、差込体１１０がバックル本体１２０に係合される。
【０００５】
【特許文献１】実用新案登録第２５９４４１２号公報
【発明の開示】
【発明が解決しようとする課題】
【０００６】
特許文献１に開示されたバックルの場合、図１２（Ｂ）の状態において、差込体１１０とバックル本体１２０とに引張力、つまり、差込方向とは反対方向の力が加わると、係合面１１２と被係合面１２２とが傾斜面になっているため、差込体１１０とバックル本体１２０との係合強度を高めることができる反面、差込体１１０がバックル本体１２０に係合された状態において、差込体１１０とバックル本体１２０とにがたつきが生じる。
【０００７】
つまり、係合部１１１と被係合部１２１とが係合するには、係合部１１１が被係合部１２１を越える位置まで差込体１１０が差し込まれる必要がある。その後、係合部１１１が被係合部１２１を越えると、脚部１１３が外側へ弾性復帰され、かつ、差込体１１０が反差込方向へ僅か戻った位置で、係合面１１２と被係合面１２２とが係合するため、係合面１１２と被係合面１２２の傾斜分に相当する差込方向寸法Ｌが差込体１１０とバックル本体１２０とにがたつきを生じさせる要因となる。このようながたつきが生じると、衝撃音が発生したり、高級感を損なう。
【０００８】
本発明の目的は、このような課題を解決し、雄部材と雌部材とのがたつきを防止できるバックルを提供することにある。
【課題を解決するための手段】
【０００９】
本発明のバックルは、雄部材と、この雄部材が差込係合される雌部材とを備え、前記雄部材は、基部と、この基部から突出形成された一対の脚部と、この各脚部の先端部に設けられ前記雌部材に係合可能な係合部とを備え、前記雌部材は、表裏面を構成する表壁および裏壁と、この表壁および裏壁を連結する一対の側壁を有する雌部材本体と、この雌部材本体の一端に設けられ前記雄部材の一対の脚部が差し込まれる差込口と、前記雌部材本体の前記表壁および裏壁の内面に形成され前記差込口から前記雌部材本体の奥部に向かうに従って幅が次第に狭くなるテーパ状のガイド溝を有し、前記係合部と係合しながら前記差込口から差し込まれた前記一対の脚部の先端部を互いに接近する方向へ弾性変形させるガイド部と、前記ガイド溝の前記奥部において前記ガイド溝に連続して前記表壁および裏壁に設けられ前記雄部材の係合部が所定位置まで差し込まれた際、前記一対の脚部の係合部を互いに離間する方向へ変位させ、前記各係合部と係合する一対の被係合部とを備え、前記各被係合部は、前記脚部の離間方向に対向して配置され、前記各係合部と当接する当接壁を有し、前記各当接壁は、前記雄部材の反差込方向へ向かうに従って互いに接近する方向へ延びる壁面に形成され、前記係合部は、前記一対の脚部の先端表裏面に突出して形成された突起によって形成され、前記突起は、前記脚部の内側面側に内側壁を有し、前記脚部の先端側に前側壁を有し、前記脚部の外側面側に前外側壁および後外側壁を有し、前記前外側壁は、前記前側壁から前記雄部材の反差込方向へ向かうに従って前記内側壁から次第に離れる傾斜面に形成され、前記後外側壁は、前記前外側壁から前記雄部材の反差込方向へ向かうに従って前記内側壁に接近する傾斜面であり、かつ前記各当接壁の壁面と略一致する壁面に形成されている、ことを特徴とする。
ここで、各当接壁を、雄部材の反差込方向へ向かうに従って互いに接近する方向へ延びる壁面に形成するには、例えば、傾斜面（テーパ面）や円弧面などによって形成することができる。
【００１０】
この構成によれば、雄部材の一対の脚部を雌部材の差込口から差し込むと、ガイド部によって、一対の脚部の先端部が互いに接近する方向へ弾性変形されていく。やがて、雄部材が所定位置まで差し込まれると、一対の脚部の弾性復帰力によって、各係合部は、互いに離間する方向へ変位され、その離間方向に対向配置された当接壁に当接される。
このとき、各当接壁は、雄部材の反差込方向へ向かうに従って互いに接近する方向へ延びる壁面に形成されているから、例えば、係合部が当接する被係合部の当接壁が傾斜面などに形成されているから、係合部を被係合部に確実に接触させることができる。従って、係合部と被係合部との間にはクリアランスが生じることがないから、クリアランスによって生じるがたつきを防止できる。
【００１１】
しかも、各係合部は、各脚部の弾性復帰力によって互いに離間する方向へ付勢された状態で各当接壁に当接され、各当接壁は、雄部材の反差込方向へ向かうに従って互いに接近する方向へ延びる壁面に形成されているから、雄部材の差込方向、および、雄部材の差込方向に対して直交しかつ一対の脚部が弾性変形する方向に対してもクリアランスが生じることがない。よって、これら２方向に対するがたつきを防止できる。
また、各係合部が互いに離間する方向へ付勢された状態で当接面に当接されているから、つまり、各係合部が雄部材の反差込方向へ向かうに従って互いに接近する方向へ延びる壁面に当接されているから、雄部材の引抜方向抵抗を付与でき、雄部材と雌部材との係合力も維持できる。
【００１２】
さらに、本発明のバックルにおいては、前記各当接壁に当接する前記係合部の当接部（後外側壁）は、前記雄部材の反差込方向へ向かうに従って互いに接近する方向へ延びかつ前記各当接壁の壁面と略一致する壁面に形成されている。
この構成によれば、各当接壁に当接する係合部の当接部も、各当接壁の壁面と略一致する壁面に形成されているから、被係合部の当接壁と係合部の当接部とを面接触させることができるので、雄部材の引抜方向抵抗を高く維持できる。従って、雄部材と雌部材との係合力もより高く維持できる。
【００１３】
本発明のバックルにおいて、前記各被係合部は、前記当接壁の差込口側端に連続して形成され前記雄部材の差込方向に対して略直交する被係止壁を有し、前記各係合部は、前記当接部の前記基部側端に連続して形成され前記雄部材の差込方向に対して略直交しかつ前記被係止壁に係止される係止壁を有する、ことが好ましい。
この構成によれば、雄部材と雌部材とが係合した状態において、雄部材と雌部材とに引抜方向の力が作用すると、被係合部の当接壁の傾斜面に沿って係合部の当接部が移動され、係合部の係止壁が被係止部の被係止壁に係止される。
この係合部の係止壁と被係止部の被係止壁とは、雄部材の差込方向に対して略直交する壁に形成されているから、これらの係止壁と被係止壁とによって、雄部材と雌部材とに作用する引抜方向の力を確実に受けることができる。従って、雄部材と雌部材とに作用する引抜方向の力に対しても、雄部材と雌部材とが簡単に外れない構造にできる。
【００１４】
本発明のバックルにおいて、前記雄部材の前記基部には、前記脚部が突出形成された側の両側部よりも中央部が前記脚部の突出方向へ向かって突出する突合部が設けられ、前記雌部材には、前記差込口側に前記雄部材の突合部と密着する突合部が設けられている、ことが好ましい。
この構成によれば、雄部材を雌部材に差し込むと、雄部材の突合部が雌部材の突合部に密着するので、意匠的にもすっきりとした印象が得られるうえ、よりがたつきの発生を防止できる。
本発明のバックルにおいて、前記一対の脚部２０は、前記基部１０へ接近する方向へ凸状に湾曲した連結帯２３によって連結されている、ことが望ましい。
この構成によれば、雄部材と雌部材とが係合した状態で雄部材と雌部材とに引抜方向の力が作用し、被係合部の当接壁の傾斜面に沿って係合部の後外側壁が移動され、係合部の後側壁が被係合部の被係止壁に係止された際に、脚部に掛け渡された連結帯によって、脚部の内側への変形が抑えられ、係合部の後側壁と被係合部の被係止壁との係止状態を維持できる。
【発明を実施するための最良の形態】
【００１５】
以下、本発明の一実施形態を図面を参照して説明する。
＜実施形態の構成＞
図１は本実施形態のバックルの斜視図、図２は同バックルの分離状態を示す斜視図、図３は同バックルの分離状態を示す一部破断の平面図である。
これらの図に示すように、本実施形態のバックル１は、紐状部材の端部２，３を連結、分離するためのもので、合成樹脂によって一体成形された雄部材Ａと、同様に合成樹脂によって一体成形され、雄部材Ａが内部に差込係合される雌部材Ｂとを備えている。なお、雄部材Ａおよび雌部材Ｂの材料については、合成樹脂に限らず、金属などの他の材料でもよい。
【００１６】
雄部材Ａは、基部１０と、この基部１０の幅方向（雄部材Ａの差込方向に直交する方向）両側から長さ方向（雄部材Ａの差込方向）へ互いに平行に突出形成され、かつ互いに接近または離間する方向へ弾性変形可能な一対の脚部２０と、この各脚部２０の先端部に設けられ、雌部材Ｂに係合可能な係合部３０とを備える。
【００１７】
基部１０は、内部中央に紐状部材の端部２が挿入係止される紐取付部としての紐取付孔１１を有する略五角形状の枠フレーム１２によって構成されている。
紐取付孔１１の中間であって枠フレーム１２の幅方向に連結杆１３が架設され、この連結杆１３によって紐取付孔１１が、脚部２０が設けられた差込方向前端側とそれとは反対側の差込方向後端側の２つの紐取付孔１１Ａ，１１Ｂに分割されている。これにより、紐状部材を紐取付孔１１Ａ，１１Ｂに挿通させて連結杆１３の周囲に旋回させることにより、紐状部材の長さ調節が可能な構造となっている。
枠フレーム１２のうち脚部２０が設けられた枠材１２Ａは、雌部材Ｂとの突合部１４として形成されている。突合部１４は、枠材１２Ａの両端部よりも中央部が脚部２０の突出方向へ向かって突出したＶ字状に形成され、この枠材１２Ａの脚部２０が設けられた面に枠材１２Ａの外周輪郭形状より僅かに小さい輪郭形状で脚部２０の突出方向へ僅かに突出した嵌合凸部１５を有する。
【００１８】
脚部２０は、基部１０の両側から雄部材Ａの差込方向に向かって直線状に延長され互いに接近または離間する方向へ弾性変形可能な弾性片部２１と、この弾性片部２１の先端から雄部材Ａの差込方向へ向かって延長されたガイド片部２２とを有する。
弾性片部２１は、弾性変形方向の寸法（幅寸法）が表裏方向寸法より小さい断面形状に形成されている。
ガイド片部２２は、弾性片部２１から二股に分岐されたのち先端で結合する形状に形成されているとともに、その外側面が先端へ向けて内側、すなわち、各脚部２０が接近する方向へ傾斜して形成されている。なお、一対のガイド片部２２の内側面間は、弾性を有する連結帯２３によって連結されている。連結帯２３は、枠材１２Ａへ接近する方向へ凸状に湾曲した逆Ｕ字形状を呈し、一対のガイド片部２２が所定以上外側へ変形するのを阻止し、脚部２０に過度の引張力（外側への引張力）が加わった時に脚部２０の破損を防止する役目を果たす。
【００１９】
係合部３０は、一対の脚部２０のガイド片部２２の先端表裏面に突出して形成された突起３１によって形成されている。
突起３１は、図４に示すように、内側壁３１Ａ、前側壁３１Ｂ、前外側壁３１Ｃ、後外側壁３１Ｄおよび後側壁３１Ｅらの周壁を有し、隣接する壁の角部が円弧面で連結された略五角形状に形成されている。内側壁３１Ａは、ガイド片部２２の内側面側に位置し、雄部材Ａの差込方向と略平行な壁面に形成されている。前側壁３１Ｂは、雄部材Ａの差込方向に対して略直交する壁面に形成されている。前外側壁３１Ｃは、前側壁３１Ｂから雄部材Ａの反差込方向へ向かうに従って内側壁３１Ａから次第に離れる傾斜面に形成されている。後外側壁３１Ｄは、前外側壁３１Ｃから雄部材Ａの反差込方向へ向かうに従って内側壁３１Ａに接近する傾斜面に形成されている。より詳しくは、内側壁３１Ａとのなす角が約４５度の傾斜面に形成されている。前外側壁３１Ｃと後外側壁３１Ｄとは、内側壁３１Ａとは反対側、すなわち、ガイド片部２２の外側面側に位置している。後側壁３１Ｅは、前側壁３１Ａと雄部材Ａの差込方向にて前後に対向する壁であり、雄部材Ａの差込方向に対して略直交する壁面に形成されている。
つまり、一対の突起３１は、雄部材Ａの反差込方向へ向かうに従って、互いに接近する方向へ傾斜する傾斜面に形成された当接壁としての後外側壁３１Ｄと、後外側壁３１Ｄの基部１０側端から連続して形成され雄部材Ａの差込方向に対して略直交する係止壁としての後側壁３１Ｅとを有する略五角形状に形成されている。
【００２０】
雌部材Ｂは、図５にも示すように、表裏面を構成する表壁４０Ａおよび裏壁４０Ｂと、これらを連結する一対の側壁４０Ｃを有する扁平筒形状の雌部材本体４０を備える。
雌部材本体４０の一端には、雄部材Ａの一対の脚部２０が差し込まれる差込口４１が形成されているとともに、雄部材Ａの突合部１４と突き合わされる突合部４２が設けられている。突合部４２は、雄部材Ａの突合部１４と合致するＶ字形状に形成されているとともに、差込口４１が雄部材Ａの嵌合凸部１５に嵌り込む形状に形成されている。
【００２１】
雌部材本体４０の他端には、紐状部材の端部３が挿入係止される紐取付部としての紐取付孔４３および連結杆４４が形成されているとともに、側壁４０Ｃの中間部には、表壁４０Ａおよび裏壁４０Ｂの内部に向かって凹状に切り欠かれた開口部４５が形成されている。開口部４５からは、雄部材Ａの脚部２０に設けられたガイド片部２２が露出され、ガイド片部２２を互いに内側へ押圧操作できるようになっている。つまり、ガイド片部２２は、雄部材Ａを雌部材Ｂから外すための操作部を兼ねている。
【００２２】
雌部材本体４０の内部には、差込口４１から雌部材本体４０の内部に向かって形成され係合部３０を案内しながら一対の脚部２０の先端部を互いに接近する方向へ弾性変形させるガイド部５０と、このガイド部５０の奥部両側に各係合部３０が係合する一対の被係合部６０とが設けられている。
ガイド部５０は、雌部材本体４０の表壁４０Ａおよび裏壁４０Ｂの内面に、差込口４１から被係合部６０に向かうに従って幅が次第に狭くなるテーパ形状のガイド溝５０Ａによって形成されている。
【００２３】
被係合部６０は、各係合部３０を互いに離間する方向へ変位させる凹部６１によって形成されている。
凹部６１は、図６に示すように、雌部材本体４０の表壁４０Ａおよび裏壁４０Ｂの内面に、ガイド溝５０Ａの奥部から両外側に雄部材Ａの差込方向に対して略直交方向へ切り欠き形成された略五角形状の凹溝として形成されている。つまり、各係合部３０が離間する離間方向奥部に凹部６１の突当壁が配置され、この突当壁に各係合部３０が当接する当接壁６１Ｄと、この当接壁６１Ｄの差込口４１側端に連続して形成された被係止壁６１Ｅを有する略五角形状に形成されている。
当接壁６１Ｄは、雄部材Ａの反差込方向へ向かうに従って、互いに接近する方向へ傾斜する傾斜面に形成されている。詳しくは、係合部３０の後外側壁３１Ｄと略同じ傾斜面で、これと当接する傾斜面に形成されている。被係止壁６１Ｅは、係合部３０の後側壁３１Ｅが係止される壁で、雄部材Ａの差込方向に対して略直交する壁面に形成されている。なお、表壁４０Ａに形成された凹部６１と裏壁４０Ｂに形成された凹部６１とは、それぞれ表壁４０Ａ、裏壁４０Ｂの外表面に開口されている。
【００２４】
＜実施形態の作用・効果＞
雄部材Ａの一対の脚部２０を雌部材Ｂの差込口４１から差し込むと、図７に示すように、各脚部２０の先端部に設けられた係合部３０がガイド溝５０に案内されながら雌部材Ｂの内部に差し込まれていくとともに、一対の脚部２０の先端部が互いに接近する方向へ弾性変形されていく。やがて、係合部３０がガイド溝５０Ａを越えて被係合部６０に達すると、図８に示すように、一対の脚部２０の弾性復帰力によって、各係合部３０は、互いに離間する方向へ変位され、離間方向奥部の当接壁６１Ｄを押圧しながら当接壁６１Ｄに当接される。
【００２５】
各当接壁６１Ｄは、雄部材Ａの反差込方向へ向かうに従って互いに接近する方向へ傾斜する傾斜面に形成されているから、つまり、係合部３０が当接する被係合部６０の当接壁６１Ｄが傾斜面に形成されているから、係合部３０を被係合部６０に確実に接触させることができる。従って、係合部３０と被係合部６０との間にはクリアランスが生じないから、クリアランスによって生じるがたつきを防止できる。
【００２６】
このとき、各係合部３０は、各脚部２０の弾性復帰力によって互いに離間する方向へ付勢された状態で各当接壁６１Ｄに当接され、各当接壁６１Ｄは、雄部材Ａの反差込方向へ向かうに従って互いに接近する方向へ傾斜する傾斜面に形成されているから、雄部材Ａの差込方向、および、雄部材Ａの差込方向に対して直交しかつ一対の脚部２０が弾性変形する方向に対してもクリアランスが生じないから、これら２方向に対するがたつきを防止できる。
【００２７】
また、各係合部３０が互いに離間する方向へ付勢された状態で当接壁６１Ｄに当接されているから、つまり、各係合部３０が雄部材Ａの反差込方向へ向かうに従って互いに接近する方向へ傾斜する傾斜面に当接されているから、雄部材Ａの引抜方向抵抗を付与でき、雄部材Ａと雌部材Ｂとの係合力も維持できる。
【００２８】
本実施形態では、各当接壁６１Ｄに当接する係合部３０の後外側壁３１Ｄも、各当接壁６１Ｄの傾斜面と略一致する傾斜面に形成されているから、被係合部６０の当接壁６１Ｄと係合部３０の後外側壁３１Ｄとを面接触させることができるので、雄部材Ａの引抜方向抵抗を高く維持できる。従って、雄部材Ａと雌部材Ｂとの係合力もより高く維持できる。
【００２９】
また、雄部材Ａと雌部材Ｂとが係合した状態において、雄部材Ａと雌部材Ｂとに引抜方向の力が作用すると、図９に示すように、被係合部６０の当接壁６１Ｄの傾斜面に沿って係合部３０の後外側壁３１Ｄが移動され、係合部３０の後側壁３１Ｅが被係合部６０の被係止壁６１Ｅに係止される。このとき、ガイド片部２２の内側面間に掛け渡された連結帯２３によって、脚部２０の内側への変形が抑えられ、係合部３０の後側壁３１Ｅと被係合部６０の被係止壁６１Ｅとの係止状態が維持される。
この係合部３０の後側壁３１Ｅと被係合部６０の被係止壁６１Ｅとは、雄部材Ａの差込方向に対して略直交する壁に形成されているから、これらの後側壁３１Ｅと被係止壁６１Ｅとによって、雄部材Ａと雌部材Ｂとに作用する引抜方向の力を確実に受けることができる。従って、雄部材Ａと雌部材Ｂとに作用する引抜方向の力に対しても、雄部材Ａと雌部材Ｂとが簡単に外れない構造にできる。
【００３０】
また、雄部材Ａを雌部材Ｂに差し込むと、雄部材Ａの突合部１４が雌部材Ｂの突合部４２に密着されるので、意匠的にもすっきりとした印象が得られるうえ、雄部材Ａと雌部材Ｂとを密着させた状態で係合させることができるから、よりがたつきの発生を防止できる。
【００３１】
雄部材Ａを雌部材Ｂから外すには、雌部材Ｂの開口部４５から突出している脚部２０のガイド片部２２の外側面を内側へ押圧する。すると、雄部材Ａの脚部２０が内側に弾性変形され、係合部３０が被係合部６０から外れる。従って、この状態において、雄部材Ａを雌部材Ｂから引き抜くと、雄部材Ａを雌部材Ｂから外すことができる。
【００３２】
＜変形例の説明＞
なお、本発明は、上記実施形態で説明した構造のバックルに限定されるものでなく、次のような変形例も含む。
上記実施形態では、係合部３０を略五角形形状の突起３１によって構成し、被係合部６０を略五角形形状の凹部６１によって構成したが、必ずしも、五角形形状の突起や凹部でなくてもよい。
例えば、係合部３０については、当接部としての後外側壁３１Ｄおよび係止壁としての後側壁３１Ｅを隣接辺にもつ多角形であってもよい。被係合部６０については、当接壁６１Ｄおよび被係止壁６１Ｅを隣接辺にもつ多角形であってもよい。
【００３３】
上記実施形態では、係合部３０の当接部としての後外側壁３１Ｄを、内側壁３１Ａとのなす角が約４５度の傾斜面としたが、傾斜角度はこれに限られない。例えば、３０度〜６０度の範囲内で選択してもよい。
同様に、被係合部６０の当接壁６１Ｄについても、３０度〜６０度の範囲内で選択してもよい。
【００３４】
あるいは、図１０に示すように、被係合部６０の当接壁６１Ｄおよび係合部３０の当接部としての後外側壁３１Ｄを、共に、略同じ曲率を有する円弧面としてもよい。つまり、雄部材Ａの反差込方向へ向かうに従って、互いに接近する方向へ湾曲し、かつ、凹部６１や係合部３０の中央から見て凸状を呈する円弧面としても、同様な効果が期待できる。
【００３５】
上記実施形態では、雌部材本体４０の内部に差込口４１から被係合部６０に向かってガイド溝５０Ａを形成し、このガイド溝５０Ａによって、係合部３０を案内しながら一対の脚部２０の先端部を互いに接近する方向へ弾性変形させるようにしたが、一対の脚部２０の先端部を互いに接近する方向へ弾性変形させるガイド部５０としては、これに限られない。
例えば、図１１に示すように、雌部材本体４０の内部に、係合部３０に当接して一対の脚部２０の先端部を互いに接近する方向へ弾性変形させたのち、離間する方向へ弾性復帰させる突起５０Ｂなどを設けた構成でもよい。
【００３６】
上記実施形態では、表壁４０Ａに形成された凹部６１と裏壁４０Ｂに形成された凹部６１は、それぞれ表壁４０Ａ、裏壁４０Ｂの外表面に開口されていたが、このような構成に限られない。例えば、図１１に示すように、両方の凹部６１または片方の凹部６１を、表壁４０Ａ、裏壁４０Ｂの外表面に開口することなく、突起５０Ｂやガイド溝５０Ａの底壁と略同じ深さに形成してもよい。このようにすれば、表壁４０Ａや裏壁４０Ｂの外表面に開口が形成されないため、開口から異物が侵入するのを防止できるとともに、意匠的にもシンプルにできる。
【００３７】
上記実施形態では、雄部材Ａおよび雌部材Ｂに、Ｖ字形状の突合部１４，４２を形成したが、これらの突合部１４，４２については、Ｖ字形状でなくてもよく、例えば、平坦な面であってもよい。
【００３８】
上記実施形態では、雄部材Ａおよび雌部材Ｂにそれぞれ紐取付部としての紐取付孔１１，４１を形成したが、雌部材Ｂについては、紐取付孔４３がなくてもよい。つまり、雌部材Ｂの雌部材本体４０を直接他の部材に固定するようにしてもよい。
また、雌部材Ｂの紐取付孔４３の幅方向に連結杆を架設し、紐状部材の長さ調整を可能としてもよい。
また、紐状部材としては、帯状のベルトに限らず、幅がない細い紐であってもよい。
上記実施形態では、雄部材Ａおよび雌部材Ｂを合成樹脂によって成形（射出成形、あるいは、射出圧縮成形）したが、これに限らず、金属などで形成してもよい。
【００３９】
以上、本発明に関して、好適な実施形態および各種の変形例を挙げたが、これらを適宜組み合わせて構成してもよいことは言うまでもない。
【産業上の利用可能性】
【００４０】
本発明は、例えば、バッグやリュックなどの連結、離脱用のバックルとして好適であるが、その他どのような用途にも使用可能である。
【図面の簡単な説明】
【００４１】
【図１】本発明の実施形態のバックルを示す斜視図。
【図２】前記実施形態のバックルの分離状態を示す分解斜視図。
【図３】前記実施形態のバックルの分離状態を示す一部破断の平面図。
【図４】前記実施形態において、雄部材の係合部部分を示す拡大図。
【図５】図３のＶ−Ｖ線拡大断面図。
【図６】前記実施形態において、雌部材の被係合部部分を示す拡大図。
【図７】前記実施形態において、雄部材が雌部材に差込途中を示す断面図。
【図８】前記実施形態において、雄部材が雌部材に係合された後の断面図。
【図９】前記実施形態において、雄部材と雌部材とに引張力が作用した図。
【図１０】雌部材の被係合部部分の変形例を示す拡大図。
【図１１】雌部材の変形例を示す断面図。
【図１２】従来のバックルの問題点を示す図。
【符号の説明】
【００４２】
１…バックル、１０…基部、１４…突合部、２０…脚部、３０…係合部、３１Ｄ…後外側壁（当接部）、３１Ｅ…後側壁（係止壁）、４１…差込口、４２…突合部、５０…ガイド部、６０…被係合部、６１…凹部、６１Ｄ…当接壁、６１Ｅ…被係止壁、Ａ…雄部材、Ｂ…雌部材。
【図１】
0005651282.tif 000002
【図２】
0005651282.tif 000003
【図３】
0005651282.tif 000004
【図４】
0005651282.tif 000005
【図５】
0005651282.tif 000006
【図６】
0005651282.tif 000007
【図７】
0005651282.tif 000008
【図８】
0005651282.tif 000009
【図９】
0005651282.tif 000010
【図１０】
0005651282.tif 000011
【図１１】
0005651282.tif 000012
【図１２】
0005651282.tif 000013